【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】
複数の粒子を形成する方法であって、以下の工程：
（Ａ）水性相中にコア材料及び１以上のモノマーを含む第１のエマルション、ここで少なくとも一つのモノマーは２以上の二重結合を有するモノマーである、及び種粒子を含む第２のエマルションを与え；
（Ｂ）第１のエマルション及び第２のエマルションを合わせ；
（Ｃ）水性相中において、不連続のドメインを形成し、ここでドメインはコア材料及び１以上のモノマーを含み；
（Ｄ）１以上のモノマーを重合して、それぞれの粒子がコア材料をカプセル化する不連続の架橋ポリマーシェルを含む複数の粒子を形成する；
工程を含み、複数の粒子は１．３〜１．０の多分散度を有することを特徴とする方法。
【請求項２】
コア材料が液晶物質を含む請求項１に記載の方法。
【請求項３】
工程（Ｃ）の前に少なくとも一つの移動剤を加える請求項１に記載の方法。
【請求項４】
複数の粒子を形成する方法であって、以下の工程：
（Ａ）水性相中にコア材料を含む第１のエマルション及び種粒子を含む第２のエマルションを与え；
（Ｂ）第１のエマルション及び第２のエマルションを合わせ；
（Ｃ）水性相中において、コア材料を含む不連続のドメインを形成し；
（Ｄ）不連続のドメインに１以上のモノマーを加え、ここで少なくとも一つのモノマーは２以上の二重結合を有するモノマーであり；
（Ｅ）１以上のモノマーを重合して、それぞれの粒子がコア材料をカプセル化する不連続の架橋ポリマーシェルを含む複数の粒子を形成する；
工程を含み、複数の粒子は、１．３〜１．０の多分散度を有することを特徴とする方法。
【請求項５】
コア材料が液晶物質を含む請求項４に記載の方法。
【請求項６】
工程（Ｃ）の前に少なくとも一つの移動剤を加える請求項４に記載の方法。
【請求項７】
不連続のドメインの形成後に少なくとも一つの移動剤を除去する請求項６に記載の方法。
【請求項８】
複数の粒子を形成する方法であって、以下の工程：
（Ａ）（ｉ）水性相中にコア材料を含む第１のエマルション；
（ｉｉ）種粒子を含む第２のエマルション；及び
（ｉｉｉ）１以上のモノマー、ここで少なくとも一つのモノマーは２以上の二重結合を有するモノマーである；
を与え；
（Ｂ）第１のエマルション、第２のエマルション、及び１以上のモノマーを合わせ；
（Ｃ）水性相中において、コア材料を含む不連続のドメインを形成し；
（Ｄ）１以上のモノマーを重合して、それぞれの粒子がコア材料をカプセル化する不連続の架橋ポリマーシェルを含む複数の粒子を形成する；
工程を含み、複数の粒子が１．３〜１．０の多分散度を有することを特徴とする方法。
【請求項９】
コア材料がネマチック液晶として作用する請求項１に記載の方法。
【請求項１０】
コア材料がネマチック液晶として作用する請求項４に記載の方法。
【手続補正２】
【補正対象書類名】明細書
【補正対象項目名】００９５
【補正方法】変更
【補正の内容】
【００９５】
粒子は、水性相を除去した後に粉末形態で単離することができる。単離された粉末は、水性又は非水性液体中に再分散することができる。単離に続いて、例えば、２以上の径を有する粒子の混合物を形成することが望ましい場合がある。混合物は、単離された粒子を合わせるか、又は好ましくは粒子の分散液を合わせることによって形成することができる。また、粒子径の混合物は、異なる粒子径を有する種粒子を用いて上記記載のように１次膨潤を行なうことによって得ることができる。２以上の径を有する粒子の混合物を含むフィルムを形成することによって、段階的なスイッチング及びフィルム不透明性のより優れた制御が可能になる。
また、本発明は以下の態様を含む。
（１） 複数の粒子を形成する方法であって、以下の工程：
（Ａ）水性相中にコア材料及び１以上のモノマーを含む第１のエマルション、ここで少なくとも一つのモノマーは２以上の二重結合を有するモノマーである、及び種粒子を含む第２のエマルションを与え；
（Ｂ）第１のエマルション及び第２のエマルションを合わせ；
（Ｃ）水性相中において、不連続のドメインを形成し、ここでドメインはコア材料及び１以上のモノマーを含み；
（Ｄ）１以上のモノマーを重合して、それぞれの粒子がコア材料をカプセル化する不連続の架橋ポリマーシェルを含む複数の粒子を形成する；
工程を含み、複数の粒子は１．３〜１．０の多分散度を有することを特徴とする方法。
（２） コア材料が液晶物質を含む前記（１）に記載の方法。
（３） 工程（Ｃ）の前に少なくとも一つの移動剤を加える前記（１）に記載の方法。
（４） コア材料をカプセル化する架橋ポリマーシェルの上に少なくとも一つの更なるポリマーシェルを形成する工程を更に含む前記（１）に記載の方法。
（５） 複数の粒子を形成する方法であって、以下の工程：
（Ａ）水性相中にコア材料を含む第１のエマルション及び種粒子を含む第２のエマルションを与え；
（Ｂ）第１のエマルション及び第２のエマルションを合わせ；
（Ｃ）水性相中において、コア材料を含む不連続のドメインを形成し；
（Ｄ）不連続のドメインに１以上のモノマーを加え、ここで少なくとも一つのモノマーは２以上の二重結合を有するモノマーであり；
（Ｅ）１以上のモノマーを重合して、それぞれの粒子がコア材料をカプセル化する不連続の架橋ポリマーシェルを含む複数の粒子を形成する；
工程を含み、複数の粒子は、１．３〜１．０の多分散度を有することを特徴とする方法。
（６） コア材料が液晶物質を含む前記（５）に記載の方法。
（７） 工程（Ｃ）の前に少なくとも一つの移動剤を加える工程を更に含む前記（５）に記載の方法。
（８） 不連続のドメインの形成後に少なくとも一つの移動剤を除去する前記（７）に記載の方法。
（９） コア材料をカプセル化する架橋ポリマーシェルの上に少なくとも一つの更なるポリマーシェルを形成する工程を更に含む前記（５）に記載の方法。
（１０） それぞれの粒子が、
（Ａ）１以上の不連続のポリマーシェル、ここで、少なくとも一つのポリマーシェルは、２以上の二重結合を有する少なくとも一つのモノマーによって架橋されている；
（Ｂ）ポリマーシェル中にカプセル化されたコア材料；
を含み、複数の粒子は１．３〜１．０の多分散度を有することを特徴とする、複数の粒子。
（１１） コア材料が液晶物質を含む前記（１０）に記載の粒子。
（１２） 前記（１１）に記載の粒子から形成されるフィルム。
（１３） コア材料がガスを含む前記（１０）に記載の粒子。
（１４） 前記（１３）に記載の粒子がその中に分散されている少なくとも一つの樹脂を含む物品。
（１５） （Ａ）１以上の不連続のポリマーシェル、ここで少なくとも一つのポリマーシェルは、２以上の二重結合を有する少なくとも一つのモノマーによって架橋されている；および
（Ｂ）ポリマーシェル中にカプセル化されているコア材料；
を含み、複数のポリマー粒子は１．３〜１．０の多分散度を有するポリマー粒子。
（１６） コア材料が液晶物質を含む前記（１５）に記載のポリマー粒子。
（１７） 前記（１６）に記載の複数のポリマー粒子から形成されるフィルム。
（１８） コア材料がガスを含む前記（１５）に記載のポリマー粒子。
（１９） 前記（１８）に記載の複数のポリマー粒子がその中に分散されている少なくとも一つの樹脂を含む物品。
（２０） 複数の粒子を形成する方法であって、以下の工程：
（Ａ）（ｉ）水性相中にコア材料を含む第１のエマルション；
（ｉｉ）種粒子を含む第２のエマルション；及び
（ｉｉｉ）１以上のモノマー、ここで少なくとも一つのモノマーは２以上の二重結合を有するモノマーである；
を与え；
（Ｂ）第１のエマルション、第２のエマルション、及び１以上のモノマーを合わせ；
（Ｃ）水性相中において、コア材料を含む不連続のドメインを形成し；
（Ｄ）１以上のモノマーを重合して、それぞれの粒子がコア材料をカプセル化する不連続の架橋ポリマーシェルを含む複数の粒子を形成する；
工程を含み、複数の粒子が１．３〜１．０の多分散度を有することを特徴とする方法。
（２１） コア材料がネマチック液晶として作用する前記（１）に記載の方法。
（２２） コア材料がネマチック液晶として作用する前記（５）に記載の方法。
（２３） コア材料がネマチック液晶として作用する前記（１０）に記載の複数の粒子。
（２４） 前記（２３）に記載の複数の粒子から形成されるフィルム。
（２５） コア材料がネマチック液晶として作用する前記（１５）に記載のポリマー粒子。
（２６） 前記（２５）に記載の複数のポリマー粒子から形成されるフィルム。
（２７） コア材料が液晶を含む前記（２０）に記載の方法。
（２８） コア材料がネマチック液晶として作用する前記（２０）に記載の方法。